(57)【特許請求の範囲】
【請求項１】
外部から供給されるデューティ可変の矩形波信号よりなる調光信号により光出力を制御する機能を有する照明装置において、前記矩形波信号をデューティに応じて増減する直流電圧に変換する平滑回路とこの直流電圧の上限と下限をクランプして第１のレベル信号に変換して出力するクランプ回路よりなる第１の制御回路と、前記クランプ回路が第１のレベル信号をクランプする電圧を第２のレベル信号として出力する出力回路と、第１のレベル信号と第２のレベル信号との差に対応した第３のレベル信号を出力する第２の制御回路と、第３のレベル信号を光出力を制御するための制御信号に変換する第３の制御回路とを備え、第２の制御回路は、第１のレベル信号を第１の係数倍に増幅する第１の増幅手段と、第１のレベル信号と第２のレベル信号との差信号を求める差分演算手段と、前記差信号を第２の係数倍に増幅する第２の増幅手段と、第１及び第２の増幅手段の出力を合成する合成手段とを含んで構成され、第１の係数と第２の係数により調光特性を調整することを特徴とする照明装置。
【請求項２】
外部から供給されるデューティ可変の矩形波信号よりなる調光信号により光出力を制御する機能を有する照明装置において、前記矩形波信号をデューティに応じて増減する直流電圧に変換する平滑回路とこの直流電圧の上限と下限をクランプして第１のレベル信号に変換して出力するクランプ回路よりなる第１の制御回路と、前記クランプ回路が第１のレベル信号をクランプする電圧を第２のレベル信号として出力する出力回路と、第１のレベル信号と第２のレベル信号との差に対応した第３のレベル信号を出力する第２の制御回路と、第３のレベル信号を光出力を制御するための制御信号に変換する第３の制御回路とを備え、第２の制御回路は、一定のレベル信号を第１の係数倍に増幅する第１の増幅手段と、第１のレベル信号と第２のレベル信号との差信号を求める差分演算手段と、前記差信号を第２の係数倍に増幅する第２の増幅手段と、第１及び第２の増幅手段の出力を合成する合成手段とを含んで構成され、第１の係数と第２の係数により調光特性を調整することを特徴とする照明装置。
【請求項３】
請求項１において、第１のレベル信号と第２のレベル信号との差信号を求める差分演算手段と、前記差信号を第２の係数倍に増幅する第２の増幅手段は、調光信号のｎ個の動作点のそれぞれに対応してｎ個ずつ設けられており、第２の係数は前記ｎ個の動作点に対応してそれぞれ独立に設定可能としたことを特徴とする照明装置。
【請求項４】
請求項２において、第１のレベル信号と第２のレベル信号との差信号を求める差分演算手段と、前記差信号を第２の係数倍に増幅する第２の増幅手段は、調光信号のｎ個の動作点のそれぞれに対応してｎ個ずつ設けられており、第２の係数は前記ｎ個の動作点に対応してそれぞれ独立に設定可能としたことを特徴とする照明装置。
【請求項５】
請求項３において、前記第１の増幅手段に入力される信号又は第２の増幅手段に入力される差信号を任意の実数乗に変換する演算手段を備えることを特徴とする照明装置。
【請求項６】
請求項４において、前記第２の増幅手段に入力される差信号を任意の実数乗に変換する演算手段を備えることを特徴とする照明装置。
【請求項７】
第３の制御回路は、照明負荷を駆動するインバータ回路の発振周波数を可変とすることにより光出力を制御することを特徴とする請求項１乃至６のいずれかに記載の照明装置。
【請求項８】
第３の制御回路は、交流電源を整流平滑する整流平滑回路の出力電圧を可変とすることにより光出力を制御することを特徴とする請求項１乃至６のいずれかに記載の照明装置。
【請求項９】
第３の制御回路は、照明負荷を駆動するインバータ回路を構成するスイッチング素子のオン時間を可変とすることにより光出力を制御することを特徴とする請求項１乃至６のいずれかに記載の照明装置。
【発明の詳細な説明】
【０００１】
【発明の属する技術分野】
本発明は、外部から供給される調光信号により光出力を制御する機能を有する照明装置に関するものである。
【０００２】
【従来の技術】
従来の調光機能付きの放電灯点灯装置の構成を図１７に示す。この点灯装置は、商用交流電源Ｅから供給される交流電圧を整流平滑回路７により直流電圧に変換し、さらにインバータ回路８と共振回路９により高周波電圧に変換して、放電灯ＦＬを高周波点灯させるものである。すなわち、インバータ回路８のスイッチング素子Ｑ１、Ｑ２を高周波で交互にスイッチング動作させ、インダクタＬ１とコンデンサＣ２の直列共振回路により、コンデンサＣ２の両端に高周波の高電圧を発生させて、放電灯ＦＬを点灯させるものである。インバータ回路８のスイッチング動作は、出力制御回路５により制御される。この出力制御回路５には、外部から調光信号が供給されている。調光信号としては、例えば矩形波信号が使用され、そのデューティｘ＝ａ／Ａ×１００〔％〕を０〜１００％の範囲で変化させることにより、放電灯ＦＬの光出力を制御するものである。
【０００３】
放電灯ＦＬの光出力を制御する手段、すなわち調光する手段としては、例えば、インバータ回路８のスイッチング周波数ｆを変化させる方法がある。調光信号のデューティｘを変化させた場合に、図１８に示すような調光特性を得るためには、例えば図１９に示すように、インバータ回路８のスイッチング周波数ｆを調光信号のデューティｘに応じて変化させるように制御すればよい。なお、点灯装置に使用されている電子部品等には当然部品ばらつきが存在するため、各点灯装置毎に出力調整を行い、略一定の調光特性が得られるようにする必要がある。
【０００４】
このような調光機能を有する点灯装置は、調光信号を出力する調光器との組み合わせで使用されるが、▲１▼調光信号が入力されない場合には、通常、点灯装置は全点灯状態となるように制御される。また、▲２▼図１７に示したような矩形波信号を調光信号として用いる場合、調光器としてデューティｘを０〜１００％の範囲で精度を±１〜２％で保証するのは非常に困難である。調光器としては（０＋δ１）％〜（１００−δ２）％のデューティ範囲で±１〜２％の精度を保証することが現実的である。
【０００５】
今、ｘ１＝０＋δ１
ｘ２＝１００−δ２
とすると、上記▲１▼，▲２▼の条件を満たすために、調光特性を図２０に示すように、デューティが０〜ｘ１％とｘ２〜１００％の範囲では、調光特性はフラットな特性となるようにする。こうすることにより、調光信号が入力されない場合、デューティが０％であるのと同じであるため、上記▲１▼の条件を満足する。また、調光信号を入力し、そのデューティを最も絞った状態（ｘ≒ｘ１）と調光信号が入力されない状態（ｘ＝０）との光出力差が生じない。
【０００６】
出力調整は図２０のｐ点及びｑ点の２点で調整することとして、以下、従来の出力調整方法の一例について、図２１と図２２を用いて説明する。図２１は従来の出力制御回路５による信号処理を示すブロック図であり、図２２はその具体回路図である。まず、平滑回路１ａでは、デューティｘの矩形波電圧の調光信号Ｓ（ｘ）を平滑して直流電圧Ｖ（ｘ）に変換する。この直流電圧Ｖ（ｘ）はデューティｘに略比例する特性となる。クランプ回路１ｂでは、Ｖ（ｘ）＜ｘ１、ｘ２＜Ｖ（ｘ）の範囲で電圧をクランプする。クランプ回路１ｂからの出力電圧をＡ（ｘ）とする。電圧電流変換手段２ａ（図２２の抵抗Ｒ１）では、電圧Ａ（ｘ）を電流Ｉ１＝Ａ（ｘ）／Ｒ１に変換する。また、調光信号Ｓ（ｘ）のデューティｘにかかわらず一定の電圧Ｖｃを電圧電流変換手段２ｂ（図２２の抵抗Ｒ２）にて電流Ｉ２＝Ｖｃ／Ｒ２に変換する。合成手段２ｃでは、これらの合成電流Ｉ＝Ｉ１＋Ｉ２をＢ（ｘ）とする。周波数変換回路３では、電流Ｂ（ｘ）を周波数ｆに変換し、制御信号Ｃ（ｘ）とする。
【０００７】
図２２の回路では、周波数変換回路３としてコンデンサＣｔの充放電を利用した発振回路を用いており、調光信号のデューティに対応して変化する電流Ｉ１＝Ａ（ｘ）／Ｒ１と常時一定の電流Ｉ２＝Ｖｃ／Ｒ２との合成電流Ｉ＝Ｂ（ｘ）がコンデンサＣｔを周期的に充放電し、その周波数によって決まる発振周波数ｆ＝Ｃ（ｘ）によってインバータ回路８がスイッチング動作する。
【０００８】
ここで、Ａ（ｘ）とＢ（ｘ）の関係を図示すると図２３のようになり、図２０のｐ点、ｑ点に対応する点は図２３ではＰ点、Ｑ点となる。本回路で出力調整を行う場合、次のような手順で行う。まず、調光信号のデューティがｘ＝ｘ１のときに、抵抗Ｒ２によってＰ点を合わせる。次に、調光信号のデューティがｘ＝ｘ２のときに、抵抗Ｒ１によってＱ点を合わせる。
【０００９】
【発明が解決しようとする課題】
しかしながら、従来例では、抵抗Ｒ１によってＱ点の調整を行う際に、図２４に示すようにＰ点がＰ’点にずれる場合がある。すなわち、従来例の回路では、Ｐ点及びＱ点を独立して設定することができず、一方が所定の調整値からずれるという問題が発生する。こうした問題を解決するために、従来は、図２５に示すように、４つの調整抵抗Ｒ１，Ｒ２，Ｒ３，Ｒ４を用いて、抵抗Ｒ１，Ｒ２によりＰ点の調整を行い、抵抗Ｒ３，Ｒ４によりＱ点の調整を行っていた。このような方式の場合、２点の出力調整のために、その倍の４つの調整端子が必要となり、回路が複雑になるという問題があった。
【００１０】
本発明は上記の問題点を解決するものであり、その目的とするところは、外部から供給される調光信号に応じて光出力を可変とされた調光機能付きの照明装置において、より簡単な回路構成で、２点以上の出力調整点を独立に設定可能とすることにある。
【００１１】
【課題を解決するための手段】
本発明によれば、上記の課題を解決するために、図１に示すように、外部から供給されるデューティ可変の矩形波信号よりなる調光信号Ｓ（ｘ）により光出力を制御する機能を有する照明装置において、前記矩形波信号をデューティに応じて増減する直流電圧に変換する平滑回路とこの直流電圧の上限と下限をクランプして第１のレベル信号Ａ（ｘ）に変換して出力するクランプ回路よりなる第１の制御回路１と、前記クランプ回路が第１のレベル信号をクランプする電圧を第２のレベル信号Ａ（ｘ１）として出力する出力回路４と、第１のレベル信号Ａ（ｘ）と第２のレベル信号Ａ（ｘ１）との差に対応した第３のレベル信号Ｂ（ｘ）を出力する第２の制御回路２と、第３のレベル信号Ｂ（ｘ）を光出力を制御するための制御信号Ｃ（ｘ）に変換する第３の制御回路３とを備え、第２の制御回路２が図２または図４に示される構成であることを特徴とするものである。
【００１２】
請求項１の発明によれば、上述の第２の制御回路２が図２に示される構成で、第１のレベル信号Ａ（ｘ）を第１の係数ｋ１倍に増幅する第１の増幅手段２１と、第１のレベル信号Ａ（ｘ）と第２のレベル信号Ａ（ｘ１）との差信号｛Ａ（ｘ）−Ａ（ｘ１）｝を求める差分演算手段２３と、前記差信号｛Ａ（ｘ）−Ａ（ｘ１）｝を第２の係数ｋ２倍に増幅する第２の増幅手段２２と、第１及び第２の増幅手段２１，２２の出力を合成する合成手段２４とを含んで構成され、第１の係数ｋ１と第２の係数ｋ２により調光特性を調整するものである。この場合、第２の制御回路２の出力Ｂ（ｘ）は次のように表される。
Ｂ（ｘ）＝ｋ１・Ａ（ｘ）＋ｋ２｛Ａ（ｘ）−Ａ（ｘ１）｝
上式において、図３に示すように、第１の係数ｋ１にて調光信号の動作点がｘ＝ｘ１のときの出力制御点Ｐを調整し、第２の係数ｋ２にて調光信号の動作点がｘ＝ｘ２のときの出力制御点Ｑを調整することにより、２点（Ｐ，Ｑ）による調光特性の調整を行うことができる。
【００１３】
請求項２の発明によれば、上述の第２の制御回路２が図４に示される構成で、一定のレベル信号Ｖｃを第１の係数ｋ１倍に増幅する第１の増幅手段２１と、第１のレベル信号Ａ（ｘ）と第２のレベル信号Ａ（ｘ１）との差信号｛Ａ（ｘ）−Ａ（ｘ１）｝を求める差分演算手段２３と、前記差信号｛Ａ（ｘ）−Ａ（ｘ１）｝を第２の係数ｋ２倍に増幅する第２の増幅手段２２と、第１及び第２の増幅手段２１，２２の出力を合成する合成手段２４とを含んで構成され、第１の係数ｋ１と第２の係数ｋ２により調光特性を調整するものである。この場合、第２の制御回路２の出力Ｂ（ｘ）は次のようになる。
Ｂ（ｘ）＝ｋ１・Ｖｃ＋ｋ２｛Ａ（ｘ）−Ａ（ｘ１）｝
上式において、図５に示すように、第１の係数ｋ１にて調光信号の動作点がｘ＝ｘ１のときの出力制御点Ｐを調整し、第２の係数ｋ２にて調光信号の動作点がｘ＝ｘ２のときの出力制御点Ｑを調整することにより、２点（Ｐ，Ｑ）による調光特性の調整を行うことができる。
【００１４】
請求項３の発明によれば、請求項１において、図６に示すように、基準とする調光信号の動作点をｘ＝ｘ１，ｘ２，…，ｘｎのｎ個とし、
Ｂ（ｘ）＝ｋ０・Ａ（ｘ）＋ｋ１｛Ａ（ｘ）−Ａ（ｘ１）｝＋…
＋ｋｎ｛Ａ（ｘ）−Ａ（ｘｎ）｝
として、（ｎ＋１）個の係数ｋ０，ｋ１，…，ｋｎにより、出力制御点Ｐ１，Ｐ２，…，Ｐｎ＋１を調整することにより、ｎ＋１点で調光特性の調整を行うものである。
【００１５】
請求項４の発明によれば、請求項２において、図７に示すように、基準とする調光信号の動作点をｘ＝ｘ１，ｘ２，…，ｘｎのｎ個とし、
Ｂ（ｘ）＝ｋ０・Ｖｃ＋ｋ１｛Ａ（ｘ）−Ａ（ｘ１）｝＋…
＋ｋｎ｛Ａ（ｘ）−Ａ（ｘｎ）｝
として、（ｎ＋１）個の係数ｋ０，ｋ１，…，ｋｎにより、出力制御点Ｐ１，Ｐ２，…，Ｐｎ＋１を調整することにより、ｎ＋１点で調光特性の調整を行うものである。
【００１６】
請求項５の発明によれば、請求項３において、Ｂ（ｘ）を任意の曲線の組み合わせとするものであり、
Ｂ（ｘ）＝ｋ０・Ａ（ｘ）j0＋ｋ１・｛Ａ（ｘ）−Ａ（ｘ１）｝j1＋…
＋ｋｎ・｛Ａ（ｘ）−Ａ（ｘｎ）｝jn
としたものである。ただし、ｊ０〜ｊｎは任意の実数である。
【００１７】
また、請求項６の発明によれば、請求項４において、Ｂ（ｘ）を任意の曲線の組み合わせとするものであり、
Ｂ（ｘ）＝ｋ０・Ｖｃ＋ｋ１・｛Ａ（ｘ）−Ａ（ｘ１）｝j1＋…
＋ｋｎ・｛Ａ（ｘ）−Ａ（ｘｎ）｝jn
としたものである。ただし、ｊ１〜ｊｎは任意の実数である。
【００１８】
ここで、本発明の原理について簡単に説明する。図２４に示すように、Ｑ点を調整するときに、Ｐ点がＰ’点へとずれるのは、次の理由による。図２４において、Ｂ（ｘ）は電流Ｉ１とＩ２の合成として表される。すなわち、
0003767144.tif 000002
となる。図２４に示すように、上式の右辺第１項のＡ（ｘ）／Ｒ１は、デューティｘ＝０％を中心として抵抗Ｒ１により傾きが決定される直線である。もし、この第１項をデューティｘ＝ｘ１を軸として抵抗Ｒ１により傾きが決定される直線とすることが可能となれば、図１１に示すように、Ｑ点の調整時にＰ点がずれることはなく、Ｐ点とＱ点を独立に設定可能となる。この場合、出力調整手順としては、まず、デューティがｘ＝ｘ１のときに、抵抗Ｒ２にてＰ点を設定し、デューティがｘ＝ｘ２のときに、抵抗Ｒ１にてＱ点を設定するという手順となり、抵抗Ｒ１にてＱ点を調整するときに、Ｐ点がずれることはない。
【００１９】
【発明の実施の形態】
図８及び図９に本発明の第１の実施例を示す。図８は出力制御回路５の構成を示しており、図９は主回路６の構成を示している。主回路６の構成は図１又は図１７の従来例と基本的には同様であるが、本実施例では、整流平滑回路７に昇圧チョッパ回路１７を備えており、入力力率を改善している。出力制御回路５は、外部から供給される調光信号Ｓ（ｘ）のデューティｘに応じてインバータ回路８のスイッチング周波数ｆ＝Ｃ（ｘ）を制御するものであり、この制御信号Ｃ（ｘ）を受けて駆動回路１８によりインバータ回路８のスイッチング素子Ｑ１，Ｑ２を駆動して、ランプＦＬの光出力を制御している。
【００２０】
以下、本実施例の出力制御回路５について説明する。クランプ回路１ｂまでの動作は従来例と同様である。クランプ回路１ｂから出力される電圧Ａ（ｘ）は、図１０に示すように、調光信号Ｓ（ｘ）のデューティｘに対応して変化する直流電圧である。また、図８のＡ（ｘ１）は、デューティがｘ＝ｘ１のときにクランプ回路１ｂから出力される直流電圧であり、デューティｘにかからわず一定である。これらの電圧Ａ（ｘ）とＡ（ｘ１）は、それぞれバッファアンプＢＦ１，ＢＦ２を介して抵抗Ｒ１の両端に印加されているので、抵抗Ｒ１に流れる電流Ｉ１は次式で与えられる。
Ｉ１＝｛Ａ（ｘ）−Ａ（ｘ１）｝／Ｒ１
また、従来例と同様に、調光信号Ｓ（ｘ）のデューティｘにかかわらず一定の電圧Ｖｃを抵抗Ｒ４，Ｒ５の分圧により発生せしめて、バッファアンプＢＦ３を介して抵抗Ｒ２に印加することにより、抵抗Ｒ２に流れる電流Ｉ２は次式で与えられる。
Ｉ２＝Ｖｃ／Ｒ２
これらの電流Ｉ１とＩ２の合成電流Ｉにより、周波数変換回路３における発振回路のコンデンサＣｔが充放電される。なお、バッファアンプＢＦ１，ＢＦ３の出力部には、エミッタフォロアのトランジスタＴｒ１，Ｔｒ２が接続されており、各エミッタフォロアに流れる電流の和がカレントミラー回路のトランジスタＴｒ３に流れることにより、発振回路のコンデンサＣｔの充放電流が制御されるものである。
【００２１】
これをブロック図で表すと、図１３のようになる。すなわち、一定電圧Ａ（ｘ１）を基準として、Ａ（ｘ）との差を電圧電流変換手段２ａ（抵抗Ｒ１）によって電流Ｉ１に変換し、一定電圧Ｖｃを電圧電流変換手段２ｂ（抵抗Ｒ２）によって電流Ｉ２に変換し、合成手段２ｃにより、これらの合成電流Ｉ＝Ｉ１＋Ｉ２をＢ（ｘ）として、さらに、周波数変換回路３により制御信号Ｃ（ｘ）に変換して、インバータ回路８のスイッチング周波数ｆを制御し、図１２に示すように、調光信号のデューティｘに応じて放電ランプＦＬの光出力を制御するものである。
【００２２】
本実施例では、電流Ｉ１はデューティｘ＝ｘ１を中心として抵抗Ｒ１によって傾きが決定される直線となるため、Ａ（ｘ）とＢ（ｘ）の関係は図１１のようになり、Ｐ点、Ｑ点を独立に設定可能となる。
【００２３】
図１４に本発明の第２の実施例の要部回路構成を示す。基本的な構成は第１の実施例と同様、図１３のブロック図で表される。調光信号Ｓ（ｘ）のデューティｘに対応して変化する直流電圧Ａ（ｘ）と、デューティがｘ＝ｘ１のときの直流電圧Ａ（ｘ１）を差動増幅するオペアンプＯＰ１の帰還抵抗Ｒｆが入力抵抗Ｒｏと同じ値の場合、抵抗Ｒ１に流れる電流Ｉ１は、第１の実施例と同様に、Ｉ１＝｛Ａ（ｘ）−Ａ（ｘ１）｝／Ｒ１となる。ただし、本実施例では、オペアンプＯＰ１を差動増幅動作させているため、デューティがｘ＝ｘ１付近では、第１の実施例に比べて不安定になる恐れがあり、オペアンプＯＰ１には高い精度が要求される。
【００２４】
図１５に本発明の第３の実施例の要部回路構成を示す。本実施例では、調光信号Ｓ（ｘ）のデューティｘに対応して変化する直流電圧Ａ（ｘ）をバッファアンプＢＦ１を介してエミッタフォロアのトランジスタＴｒ１に入力し、そのエミッタフォロアのトランジスタＴｒ１の負荷抵抗Ｒ２に流れる電流Ｉ２に、抵抗Ｒ１を介して流れる電流Ｉ１が加算されて、電流Ｉ＝Ｉ１＋Ｉ２がカレントミラー回路のトランジスタＴｒ３に流れるように構成したものである。抵抗Ｒ１に流れる電流Ｉ１は、デューティがｘ＝ｘ１のときの直流電圧Ａ（ｘ１）をバッファアンプＢＦ２を介して抵抗Ｒ１の一端に印加しているので、Ａ（ｘ）−Ａ（ｘ１）に比例することになり、Ｉ１＝｛Ａ（ｘ）−Ａ（ｘ１）｝／Ｒ１、Ｉ２＝Ａ（ｘ）／Ｒ２となる。これら２つの電流Ｉ１とＩ２の合成電流Ｉにより、発振回路のコンデンサＣｔが充放電される。
【００２５】
本実施例による調整動作は、図１６のようになる。本実施例ではオペアンプの数が第１の実施例に比べて少なくて済むという利点があるが、Ｑ点は電流Ｉ２で決まるＱ’点以上の範囲でのみ設定が可能となるため、Ｐ点〜Ｑ点の電流範囲を小さく設定できない。
【００２６】
なお、以上の実施例では、インバータ回路８のスイッチング素子Ｑ１、Ｑ２のスイッチング周波数ｆを変化させることによりランプＦＬの光出力を制御するものとして説明してきたが、図９の整流平滑回路７の出力電圧Ｖｄｃを変化させることによってランプＦＬの光出力を同様に制御することも可能である。その場合、昇圧チョッパ回路１７のスイッチング素子Ｑ０のスイッチング動作を制御すれば良い。また、インバータ回路８のスイッチング素子Ｑ１、Ｑ２のスイッチング周波数ｆは一定として、スイッチング素子Ｑ１とＱ２のＯＮ時間の比率を変化させることによってもランプＦＬの光出力を同様に制御することが可能である。
【００２７】
さらに、上記各実施例では、電流Ｉ１とＩ２は１次式すなわち直線で示したが、任意の曲線であっても構わないし、任意の複数の曲線で表される電流Ｉ１，Ｉ２，…，Ｉｎの合成とすることも可能である。
【００２８】
【発明の効果】
本発明によれば、外部から供給されるデューティ可変の矩形波信号よりなる調光信号により光出力を制御する機能を有する照明装置において、前記矩形波信号をデューティに応じて増減する直流電圧に変換する平滑回路とこの直流電圧の上限と下限をクランプして第１のレベル信号に変換して出力するクランプ回路よりなる第１の制御回路と、前記クランプ回路が第１のレベル信号をクランプする電圧を第２のレベル信号として出力する出力回路と、第１のレベル信号と第２のレベル信号との差に対応した第３のレベル信号を出力する第２の制御回路と、第３のレベル信号を光出力を制御するための制御信号に変換する第３の制御回路とを備え、第２の制御回路は、一定のレベル信号あるいは第１のレベル信号を第１の係数倍に増幅する第１の増幅手段と、第１のレベル信号と第２のレベル信号との差信号を求める差分演算手段と、前記差信号を第２の係数倍に増幅する第２の増幅手段と、第１及び第２の増幅手段の出力を合成する合成手段とを含んで構成され、第１の係数と第２の係数により調光特性を調整するものであるから、簡単な回路構成でありながら、２点以上の出力調整点を独立に設定できるという効果がある。
【図面の簡単な説明】
【図１】  本発明の基本構成を示すブロック回路図である。
【図２】  本発明の請求項１の構成を示す要部ブロック回路図である。
【図３】  本発明の請求項１の動作を示す説明図である。
【図４】  本発明の請求項２の構成を示す要部ブロック回路図である。
【図５】  本発明の請求項２の動作を示す説明図である。
【図６】  本発明の請求項３の動作を示す説明図である。
【図７】  本発明の請求項４の動作を示す説明図である。
【図８】  本発明の実施例１の出力制御回路の回路図である。
【図９】  本発明の実施例１の主回路の回路図である。
【図１０】  本発明の実施例１の第１の制御回路の入出力特性図である。
【図１１】  本発明の実施例１の第２の制御回路の入出力特性図である。
【図１２】  本発明の実施例１の調光特性を示す説明図である。
【図１３】  本発明の実施例１の処理内容を示すブロック図である。
【図１４】  本発明の実施例２の要部構成を示す具体回路図である。
【図１５】  本発明の実施例３の要部構成を示す具体回路図である。
【図１６】  本発明の実施例３の第２の制御回路の入出力特性図である。
【図１７】  従来例のブロック回路図である。
【図１８】  従来例の調光信号と光出力の関係を示す説明図である。
【図１９】  従来例の調光信号とインバータの動作周波数の関係を示す説明図である。
【図２０】  従来例の調光特性を示す説明図である。
【図２１】  従来例の出力制御回路の構成を示すブロック図である。
【図２２】  従来例の出力制御回路の要部構成を示す回路図である。
【図２３】  従来例による調光特性の調整動作を示す説明図である。
【図２４】  従来例の調整動作の問題点を説明するための説明図である。
【図２５】  他の従来例による調光特性の調整動作を示す説明図である。
【符号の説明】
１    第１の制御回路
２    第２の制御回路
３    第３の制御回路
４    出力回路
５    出力制御回路
６    主回路
７    整流平滑回路
８    インバータ回路
９    共振回路
ＦＬ  放電灯
【図１】
0003767144.tif 000003
【図２】
0003767144.tif 000004
【図３】
0003767144.tif 000005
【図４】
0003767144.tif 000006
【図５】
0003767144.tif 000007
【図６】
0003767144.tif 000008
【図７】
0003767144.tif 000009
【図８】
0003767144.tif 000010
【図９】
0003767144.tif 000011
【図１０】
0003767144.tif 000012
【図１１】
0003767144.tif 000013
【図１２】
0003767144.tif 000014
【図１３】
0003767144.tif 000015
【図１４】
0003767144.tif 000016
【図１５】
0003767144.tif 000017
【図１６】
0003767144.tif 000018
【図１７】
0003767144.tif 000019
【図１８】
0003767144.tif 000020
【図１９】
0003767144.tif 000021
【図２０】
0003767144.tif 000022
【図２１】
0003767144.tif 000023
【図２２】
0003767144.tif 000024
【図２３】
0003767144.tif 000025
【図２４】
0003767144.tif 000026
【図２５】
0003767144.tif 000027